(57)【特許請求の範囲】
【請求項１】
土砂を含んだ汚濁水又は溶存酸素量の多い表層水である排出水を水中に排出する水中排水工法であって、
前記排出水を送出するポンプ（１Ｂ）に接続された排出管（２Ｂ）の下端が水底付近まで延ばされ前記水底付近で略水平方向に屈曲され屈曲端の開口である排出口（６Ｂ）に、柔らかく可撓性を有する合成樹脂材料からなり平面形状が略扇状となる防水シート部材（３Ｂ）の前記扇の根元部の下面が取り付けられ、前記防水シート部材（３Ｂ）の円弧状の外縁（３Ｂ３）の付近の複数の箇所には、水底に固定されたアンカー部材（４Ｂ）に取り付けられたワイヤー（５Ｂ）の上端が取り付けられ、前記防水シート部材（３Ｂ）の直線状の外縁（３Ｂ１、３Ｂ２）の付近の複数の箇所は、重錘部材が載置され又は水底中に埋設されたアンカー部材に固定されることにより、前記防水シート部材（３Ｂ）の直線状の外縁（３Ｂ１、３Ｂ２）は水底に密着されるとともに前記防水シート部材（３Ｂ）の他の部分はある程度上下移動可能な状態で水底の上方に支持され、
当該状態で前記排出口（６Ｂ）から前記排出水を排出し、当該排出水が前記水底と前記防水シート部材（３Ｂ）の間の水中を流動するうちにその流速を減少させて前記土砂を前記防水シート部材（３Ｂ）に被覆された領域の水底の上に沈積させ、又は前記防水シート部材（３Ｂ）の外部の水と前記排出水が混合することを防止すること
を特徴とする水中排水工法。
【請求項２】
土砂を含んだ汚濁水又は溶存酸素量の多い表層水である排出水を水中に排出する水中排水工法であって、
前記排出水を送出するポンプ（１Ｂ）に接続された排出管（２Ｂ）の下端が水底付近まで延ばされ前記水底付近で略水平方向に屈曲され屈曲端の開口である排出口（６Ｂ）に、柔らかく可撓性を有する合成樹脂材料からなり平面形状が略扇状となる防水シート部材（３Ｂ）の上下表面に熱伝導性の高い金属箔の薄膜状部材を接着又は蒸着したものの前記扇の根元部の下面が取り付けられ、前記防水シート部材（３Ｂ）の円弧状の外縁（３Ｂ３）の付近の複数の箇所には、水底に固定されたアンカー部材（４Ｂ）に取り付けられたワイヤー（５Ｂ）の上端が取り付けられ、前記防水シート部材（３Ｂ）の直線状の外縁（３Ｂ１、３Ｂ２）の付近の複数の箇所は、重錘部材が載置され又は水底中に埋設されたアンカー部材に固定されることにより、前記防水シート部材（３Ｂ）の直線状の外縁（３Ｂ１、３Ｂ２）は水底に密着されるとともに前記防水シート部材（３Ｂ）の他の部分はある程度上下移動可能な状態で水底の上方に支持され、
当該状態で前記排出口（６Ｂ）から前記排出水を排出し、当該排出水が前記水底と前記防水シート部材（３Ｂ）の間の水中を流動するうちにその流速を減少させて前記土砂を前記防水シート部材（３Ｂ）に被覆された領域の水底の上に沈積させ、又は前記防水シート部材（３Ｂ）の外部の水と前記排出水が混合することを防止し、又は前記防水シート部材（３Ｂ）の外部の水により前記排出水を冷却し両者の温度差と密度差を減少させ前記排出水を前記防水シート部材（３Ｂ）の円弧状の外縁（３Ｂ３）付近に留まらせること
を特徴とする水中排水工法。
【請求項３】
土砂を含んだ汚濁水又は溶存酸素量の多い表層水である排出水を水中に排出する水中排水工法であって、
前記排出水を送出するポンプ（１Ｂ）に接続された排出管（２Ｂ）の下端が水底付近まで延ばされ前記水底付近で略水平方向に屈曲され屈曲端の開口である排出口（６Ｂ）に、柔らかく可撓性を有する合成樹脂材料からなり平面形状が略扇状となる防水シート部材（３Ｂ）に上下に貫通する小さな孔をまばらに開けたものの前記扇の根元部の下面が取り付けられ、前記防水シート部材（３Ｂ）の円弧状の外縁（３Ｂ３）の付近の複数の箇所には、水底に固定されたアンカー部材（４Ｂ）に取り付けられたワイヤー（５Ｂ）の上端が取り付けられ、前記防水シート部材（３Ｂ）の直線状の外縁（３Ｂ１、３Ｂ２）の付近の複数の箇所は、重錘部材が載置され又は水底中に埋設されたアンカー部材に固定されることにより、前記防水シート部材（３Ｂ）の直線状の外縁（３Ｂ１、３Ｂ２）は水底に密着されるとともに前記防水シート部材（３Ｂ）の他の部分はある程度上下移動可能な状態で水底の上方に支持され、
当該状態で前記排出口（６Ｂ）から前記排出水を排出し、当該排出水が前記水底と前記防水シート部材（３Ｂ）の間の水中を流動するうちにその流速を減少させて前記土砂を前記防水シート部材（３Ｂ）に被覆された領域の水底の上に沈積させ、又は防水シート部材（３Ｂ）の下を流れる水を前記防水シート部材（３Ｂ）に開けられた小さい孔の箇所で前記防水シート部材（３Ｂ）の外部の水底付近の水の中に混入させて酸素を供給させること
を特徴とする水中排水工法。
【請求項４】
土砂を含んだ汚濁水又は溶存酸素量の多い表層水である排出水を水中に排出する水中排水工法であって、
前記排出水を送出するポンプ（１Ｂ）に接続された排出管（２Ｂ）の下端が水底付近まで延ばされ前記水底付近で略水平方向に屈曲され屈曲端の開口である排出口（６Ｂ）に、柔らかく可撓性を有する合成樹脂材料からなり平面形状が略扇状となる防水シート部材（３Ｂ）の上下表面に熱伝導性の高い金属箔の薄膜状部材を接着又は蒸着し上下に貫通する小さな孔をまばらに開けたものの前記扇の根元部の下面が取り付けられ、前記防水シート部材（３Ｂ）の円弧状の外縁（３Ｂ３）の付近の複数の箇所には、水底に固定されたアンカー部材（４Ｂ）に取り付けられたワイヤー（５Ｂ）の上端が取り付けられ、前記防水シート部材（３Ｂ）の直線状の外縁（３Ｂ１、３Ｂ２）の付近の複数の箇所は、重錘部材が載置され又は水底中に埋設されたアンカー部材に固定されることにより、前記防水シート部材（３Ｂ）の直線状の外縁（３Ｂ１、３Ｂ２）は水底に密着されるとともに前記防水シート部材（３Ｂ）の他の部分はある程度上下移動可能な状態で水底の上方に支持され、
当該状態で前記排出口（６Ｂ）から前記排出水を排出し、当該排出水が前記水底と前記防水シート部材（３Ｂ）の間の水中を流動するうちにその流速を減少させて前記土砂を前記防水シート部材（３Ｂ）に被覆された領域の水底の上に沈積させ、又は前記防水シート部材（３Ｂ）の外部の水により前記排出水を冷却し両者の温度差と密度差を減少させ前記排出水を前記防水シート部材（３Ｂ）の円弧状の外縁（３Ｂ３）付近に留まらせ、又は防水シート部材（３Ｂ）の下を流れる水を前記防水シート部材（３Ｂ）に開けられた小さい孔の箇所で前記防水シート部材（３Ｂ）の外部の水底付近の水の中に混入させて酸素を供給させること
を特徴とする水中排水工法。
【発明の詳細な説明】
【０００１】
【発明の属する技術分野】
本発明は、土砂を含んだ汚濁水等である排出水を水中に排出する水中排水工法に関し、特に、排出水が周囲の水塊と混合し拡散することを防止する水中排水工法に関するものである。
【０００２】
【従来の技術】
従来、浚渫工事等において発生する土砂を含んだ汚濁水は、排出管の排出口から水中に直接排水されていた。そのため、汚濁水中の土砂が、周囲の水中に拡散し、これにより周囲の水に汚濁が拡散していた。このため、汚濁水が排出される水域を密閉構造部材等で周囲の水と隔離し、汚濁の拡散を防止する対策などが実施されていた。
【０００３】
【発明が解決しようとする課題】
しかし、上記した密閉構造部材等を施工することは困難であり、工事費用が高い、という問題があった。
【０００４】
また、環境浄化対策として、海面付近の溶存酸素量の多い表層水を、ポンプにより、海底付近の酸素の少ない貧酸素水塊へ送り放出することも検討されているが、表層水は、海底付近の水よりも暖かいため密度が小さく、海底付近の貧酸素水塊の中へ放出しても、周囲の貧酸素水塊とほとんど混合することなく海面方向へ浮上してしまう、という問題もあった。
【０００５】
本発明は上記の問題を解決するためになされたものであり、本発明の解決しようとする課題は、施工が容易で費用が低廉でありかつ排出水が周囲の水塊と混合し拡散することを防止し得る工法を提供することにある。
【０００６】
【課題を解決するための手段】
上記課題を解決するため、本発明の特許請求の範囲の請求項１に記載した水中排水工法は、
土砂を含んだ汚濁水又は溶存酸素量の多い表層水である排出水を水中に排出する水中排水工法であって、
前記排出水を送出するポンプ（１Ｂ）に接続された排出管（２Ｂ）の下端が水底付近まで延ばされ前記水底付近で略水平方向に屈曲され屈曲端の開口である排出口（６Ｂ）に、柔らかく可撓性を有する合成樹脂材料からなり平面形状が略扇状となる防水シート部材（３Ｂ）の前記扇の根元部の下面が取り付けられ、前記防水シート部材（３Ｂ）の円弧状の外縁（３Ｂ３）の付近の複数の箇所には、水底に固定されたアンカー部材（４Ｂ）に取り付けられたワイヤー（５Ｂ）の上端が取り付けられ、前記防水シート部材（３Ｂ）の直線状の外縁（３Ｂ１、３Ｂ２）の付近の複数の箇所は、重錘部材が載置され又は水底中に埋設されたアンカー部材に固定されることにより、前記防水シート部材（３Ｂ）の直線状の外縁（３Ｂ１、３Ｂ２）は水底に密着されるとともに前記防水シート部材（３Ｂ）の他の部分はある程度上下移動可能な状態で水底の上方に支持され、
当該状態で前記排出口（６Ｂ）から前記排出水を排出し、当該排出水が前記水底と前記防水シート部材（３Ｂ）の間の水中を流動するうちにその流速を減少させて前記土砂を前記防水シート部材（３Ｂ）に被覆された領域の水底の上に沈積させ、又は前記防水シート部材（３Ｂ）の外部の水と前記排出水が混合することを防止すること
を特徴とする。
【０００７】
また、本発明の特許請求の範囲の請求項２に記載した水中排水工法は、
土砂を含んだ汚濁水又は溶存酸素量の多い表層水である排出水を水中に排出する水中排水工法であって、
前記排出水を送出するポンプ（１Ｂ）に接続された排出管（２Ｂ）の下端が水底付近まで延ばされ前記水底付近で略水平方向に屈曲され屈曲端の開口である排出口（６Ｂ）に、柔らかく可撓性を有する合成樹脂材料からなり平面形状が略扇状となる防水シート部材（３Ｂ）の上下表面に熱伝導性の高い金属箔の薄膜状部材を接着又は蒸着したものの前記扇の根元部の下面が取り付けられ、前記防水シート部材（３Ｂ）の円弧状の外縁（３Ｂ３）の付近の複数の箇所には、水底に固定されたアンカー部材（４Ｂ）に取り付けられたワイヤー（５Ｂ）の上端が取り付けられ、前記防水シート部材（３Ｂ）の直線状の外縁（３Ｂ１、３Ｂ２）の付近の複数の箇所は、重錘部材が載置され又は水底中に埋設されたアンカー部材に固定されることにより、前記防水シート部材（３Ｂ）の直線状の外縁（３Ｂ１、３Ｂ２）は水底に密着されるとともに前記防水シート部材（３Ｂ）の他の部分はある程度上下移動可能な状態で水底の上方に支持され、
当該状態で前記排出口（６Ｂ）から前記排出水を排出し、当該排出水が前記水底と前記防水シート部材（３Ｂ）の間の水中を流動するうちにその流速を減少させて前記土砂を前記防水シート部材（３Ｂ）に被覆された領域の水底の上に沈積させ、又は前記防水シート部材（３Ｂ）の外部の水と前記排出水が混合することを防止し、又は前記防水シート部材（３Ｂ）の外部の水により前記排出水を冷却し両者の温度差と密度差を減少させ前記排出水を前記防水シート部材（３Ｂ）の円弧状の外縁（３Ｂ３）付近に留まらせること
を特徴とする。
【０００８】
また、本発明の特許請求の範囲の請求項３に記載した水中排水工法は、
土砂を含んだ汚濁水又は溶存酸素量の多い表層水である排出水を水中に排出する水中排水工法であって、
前記排出水を送出するポンプ（１Ｂ）に接続された排出管（２Ｂ）の下端が水底付近まで延ばされ前記水底付近で略水平方向に屈曲され屈曲端の開口である排出口（６Ｂ）に、柔らかく可撓性を有する合成樹脂材料からなり平面形状が略扇状となる防水シート部材（３Ｂ）に上下に貫通する小さな孔をまばらに開けたものの前記扇の根元部の下面が取り付けられ、前記防水シート部材（３Ｂ）の円弧状の外縁（３Ｂ３）の付近の複数の箇所には、水底に固定されたアンカー部材（４Ｂ）に取り付けられたワイヤー（５Ｂ）の上端が取り付けられ、前記防水シート部材（３Ｂ）の直線状の外縁（３Ｂ１、３Ｂ２）の付近の複数の箇所は、重錘部材が載置され又は水底中に埋設されたアンカー部材に固定されることにより、前記防水シート部材（３Ｂ）の直線状の外縁（３Ｂ１、３Ｂ２）は水底に密着されるとともに前記防水シート部材（３Ｂ）の他の部分はある程度上下移動可能な状態で水底の上方に支持され、
当該状態で前記排出口（６Ｂ）から前記排出水を排出し、当該排出水が前記水底と前記防水シート部材（３Ｂ）の間の水中を流動するうちにその流速を減少させて前記土砂を前記防水シート部材（３Ｂ）に被覆された領域の水底の上に沈積させ、又は防水シート部材（３Ｂ）の下を流れる水を前記防水シート部材（３Ｂ）に開けられた小さい孔の箇所で前記防水シート部材（３Ｂ）の外部の水底付近の水の中に混入させて酸素を供給させること
を特徴とする。
【０００９】
また、本発明の特許請求の範囲の請求項４に記載した水中排水工法は、
土砂を含んだ汚濁水又は溶存酸素量の多い表層水である排出水を水中に排出する水中排水工法であって、
前記排出水を送出するポンプ（１Ｂ）に接続された排出管（２Ｂ）の下端が水底付近まで延ばされ前記水底付近で略水平方向に屈曲され屈曲端の開口である排出口（６Ｂ）に、柔らかく可撓性を有する合成樹脂材料からなり平面形状が略扇状となる防水シート部材（３Ｂ）の上下表面に熱伝導性の高い金属箔の薄膜状部材を接着又は蒸着し上下に貫通する小さな孔をまばらに開けたものの前記扇の根元部の下面が取り付けられ、前記防水シート部材（３Ｂ）の円弧状の外縁（３Ｂ３）の付近の複数の箇所には、水底に固定されたアンカー部材（４Ｂ）に取り付けられたワイヤー（５Ｂ）の上端が取り付けられ、前記防水シート部材（３Ｂ）の直線状の外縁（３Ｂ１、３Ｂ２）の付近の複数の箇所は、重錘部材が載置され又は水底中に埋設されたアンカー部材に固定されることにより、前記防水シート部材（３Ｂ）の直線状の外縁（３Ｂ１、３Ｂ２）は水底に密着されるとともに前記防水シート部材（３Ｂ）の他の部分はある程度上下移動可能な状態で水底の上方に支持され、
当該状態で前記排出口（６Ｂ）から前記排出水を排出し、当該排出水が前記水底と前記防水シート部材（３Ｂ）の間の水中を流動するうちにその流速を減少させて前記土砂を前記防水シート部材（３Ｂ）に被覆された領域の水底の上に沈積させ、又は前記防水シート部材（３Ｂ）の外部の水により前記排出水を冷却し両者の温度差と密度差を減少させ前記排出水を前記防水シート部材（３Ｂ）の円弧状の外縁（３Ｂ３）付近に留まらせ、又は防水シート部材（３Ｂ）の下を流れる水を前記防水シート部材（３Ｂ）に開けられた小さい孔の箇所で前記防水シート部材（３Ｂ）の外部の水底付近の水の中に混入させて酸素を供給させること
を特徴とする。
【００１０】
【発明の実施の形態】
以下、本発明の実施形態について、図面を参照しながら詳細に説明を行う。図１は、本発明の第１実施形態である水中排水装置の構成を示す図であり、図１（Ａ）は、側方から見た断面図を、図１（Ｂ）は、図１（Ａ）におけるＡ−Ａ方向に見た平面図を、それぞれ示している。
【００１１】
図１に示すように、第１実施形態の水中排水装置１０１は、ポンプ１Ａと、排出管２Ａと、防水シート部材３Ａと、アンカー部材４Ａと、ワイヤー５Ａを備えて構成されている。
【００１２】
ポンプ１Ａは、海面Ｓ上の台船等に搭載されている。ポンプ１Ａには、排出管２Ａの上端が接続され、排出管２Ａの下端は、海底Ｂの付近まで達するように延ばされている。排出管２Ａの下端開口は、排出口６Ａとなっている。
【００１３】
排出口６Ａの付近には、防水シート部材３Ａが取り付けられている。防水シート部材３Ａは、柔らかい可撓性を有する合成樹脂材料、例えばポリエチレン等から形成されており、その平面形状は、図１（Ｂ）に示すように、略円形状となっている。この円の半径は、例えば、１０メートル以上の値となるように設定されている。この防水シート部材３Ａの中央部には、開口が形成され、この開口に排出管２Ａが挿通され、排出管２Ａと防水シート部材３Ａの開口内縁が、接着等により接合されている。
【００１４】
また、防水シート部材３Ａの円周状の外縁の付近の複数の箇所には、ワイヤー５Ａの上端が取り付けられ、ワイヤー５Ａの下端は、アンカー部材４Ａに取り付けられている。アンカー部材４Ａとしては、海底Ｂに固定されたコンクリート塊等が用いられる。
【００１５】
ワイヤー５Ａは、ある程度ゆるんだ状態で、アンカー部材４Ａに取り付けられている。これにより、防水シート部材３Ａは、海底Ｂの付近の上方位置で、ある程度の余裕をもって上下移動可能な状態で、海底Ｂ付近に支持されている。
【００１６】
次に、上記した第１実施形態の水中排水装置１０１の作用について説明する。ポンプ１Ａによって送出された排出水は、排水管２Ａを通って下降し、排出口６Ａから排出される。
【００１７】
排出口６Ａの周囲は、防水シート部材３Ａによって覆われている。このため、排出水は、海底Ｂと防水シート３Ａに挟まれた部分を通り、防水シート部材３Ａの外周へ向かって流れる。この場合、排出口６Ａから遠ざかるにつれて、防水シート部材３Ａの下部となる領域の容積は増大していく。したがって、排出水は、図１において、Ｖ１、Ｖ２、Ｖ３と、排出口６Ａから離れるにつれて流速が小さくなっていく。
【００１８】
このことから、排出水が、土砂を含んだ汚濁水の場合には、防水シート部材３Ａの外縁へ向かうにつれて水流の流速が低下するため、汚濁水の中の土砂成分の沈降が促進され、土砂は海底Ｂの上に沈積する。
【００１９】
したがって、防水シート部材３Ａの大きさ（海底Ｂを被覆する面積）が十分に大きな場合には、防水シート部材３Ａの外縁において、外部の水Ｗ１と触れる時点では、汚濁水の中の土砂成分の大部分が沈積によって減少しており、かつ水流の流速も非常に小さくなっている。これにより、防水シート部材３Ａの外縁における汚濁水の拡散は抑制されることとなる。
【００２０】
また、汚濁水の中の土砂の密度は、防水シート部材３Ａの外部の水Ｗ１の密度よりも大きい。このため、防水シート部材３Ａの外縁における汚濁水は、海底Ｂに非常に静かに置かれたような状態となり、濁りが海面Ｓの方向（上方）へ拡散することが防止される。
【００２１】
上記した第１実施形態の水中排水装置１０１において、排出口６Ａの直下付近の海底Ｂ１には、シート状部材又は板状部材を設置しておくようにしてもよい。このようにすれば、排出口６Ａから下方に向けて排出された排出水が直接海底Ｂに衝突することによる海底土砂の舞い上がりを防止し、濁りをさらに小さくすることができる。
【００２２】
また、排出水が、海面付近の溶存酸素量の多い表層水の場合には、排出口６Ａから排出された表層水は、周囲の水よりも暖かく低密度で軽いため、海面Ｓの方向（上方）へ上昇しようとする。しかし、防水シート部材３Ａがあるため、海底Ｂと防水シート３Ａに挟まれた部分を通り、防水シート部材３Ａの外周へ向かって流れる。この場合、排出口６Ａから遠ざかるにつれて、防水シート部材３Ａの下部となる領域の容積は増大していく。したがって、排出水は、図１において、Ｖ１、Ｖ２、Ｖ３と、排出口６Ａから離れるにつれて流速が小さくなっていく。
【００２３】
このことから、表層水は、防水シート部材３Ａの外縁へ向かうにつれて水流の流速が低下するため、防水シート部材３Ａの外縁に到達するまでに時間がかかり、その間に周囲の水によって冷却される。
【００２４】
したがって、防水シート部材３Ａの大きさ（海底Ｂを被覆する面積）が十分に大きな場合には、防水シート部材３Ａの外縁において、外部の水Ｗ１と触れる時点では、表層水と外部の水Ｗ１との温度差は緩和され、これに伴って密度差も減少する。さらに、防水シート部材３Ａの外縁においては、表層水の水流の流速も非常に小さくなっている。これにより、防水シート部材３Ａの外縁においては、表層水の密度は、外部の水Ｗ１の密度と差がほとんどなくなり、海底付近又は貧酸素水塊の付近に留まりやすくなる。
【００２５】
また、上記した第１実施形態の水中排水装置１０１において、防水シート部材３Ａに、上下に貫通する小さな孔を、まばらに開けておくようにしてもよい。このようにすれば、防水シート部材３Ａの下を流れる表層水が、防水シート部材３Ａに開けられた小さい孔の箇所で、外部の海底付近の水（貧酸素水塊）の中に混入し、酸素を供給することができる。
【００２６】
また、上記した第１実施形態の水中排水装置１０１において、防水シート部材３Ａの表面に、熱伝導性の高い材料により形成された薄膜状部材を接着、又は蒸着等しておいてもよい。この場合、熱伝導性の高い材料としては、アルミニウム箔、銅箔等の金属箔が使用可能である。このようにすれば、防水シート部材３Ａは、外部の低温の水によって容易に冷却される。したがって、防水シート部材３Ａの下を流れる表層水も容易に冷却され、外部の海底付近の水（貧酸素水塊）との温度差が緩和される。
【００２７】
次に、本発明の第２実施形態について説明を行う。図２は、本発明の第２実施形態である水中排水装置の構成を示す図であり、図２（Ａ）は、側方から見た断面図を、図２（Ｂ）は、図２（Ａ）におけるＢ−Ｂ方向に見た平面図を、それぞれ示している。
【００２８】
図２に示すように、第２実施形態の水中排水装置１０２は、ポンプ１Ｂと、排出管２Ｂと、防水シート部材３Ｂと、アンカー部材４Ｂと、ワイヤー５Ｂを備えて構成されている。
【００２９】
ポンプ１Ｂは、海面Ｓ上の台船等に搭載されている。ポンプ１Ｂには、排出管２Ｂの上端が接続され、排出管２Ｂの下端は、海底Ｂの付近まで達するように延ばされ、海底Ｂの付近で略水平方向に屈曲されている。排出管２Ｂの屈曲端の開口は、排出口６Ｂとなっている。
【００３０】
排出口６Ｂの付近には、防水シート部材３Ｂが取り付けられている。防水シート部材３Ｂは、柔らかい可撓性を有する合成樹脂材料、例えばポリエチレン等から形成されており、その平面形状は、図２（Ｂ）に示すように、略扇状となっている。この扇状部の半径は、例えば、１０メートル以上の値となるように設定されている。この防水シート部材３Ｂの扇の根元部の下面に、排出管２Ｂが接続され、排出管２Ｂと防水シート部材３Ｂの開口内縁が、接着等により接合されている。
【００３１】
また、防水シート部材３Ｂの扇状の外縁のうち、円弧状の外縁３Ｂ３の付近の複数の箇所には、ワイヤー５Ｂの上端が取り付けられ、ワイヤー５Ｂの下端は、アンカー部材４Ｂに取り付けられている。アンカー部材４Ｂとしては、海底Ｂに固定されたコンクリート塊等が用いられる。また、防水シート部材３Ｂの扇状の外縁のうち、直線状の外縁３Ｂ１、３Ｂ２の付近の複数の箇所には、図示はしていないが、重量の大きな重錘部材が載置され、外縁３Ｂ１、３Ｂ２は、海底Ｂに密着している。あるいは、防水シート部材３Ｂの扇状の外縁のうち、直線状の外縁３Ｂ１、３Ｂ２の箇所では、海底の中に埋設されたアンカー部材に直接、外縁３Ｂ１、３Ｂ２を固定するようにしてもよい。
【００３２】
ワイヤー５Ｂは、ある程度ゆるんだ状態で、アンカー部材４Ｂに取り付けられている。これにより、防水シート部材３Ｂは、海底Ｂの付近の上方位置で、ある程度の余裕をもって上下移動可能な状態で、海底Ｂ付近に支持されている。
【００３３】
次に、上記した第２実施形態の水中排水装置１０２の作用について説明する。ポンプ１Ｂによって送出された排出水は、排水管２Ｂを通って下降し、排出口６Ｂから排出される。
【００３４】
排出口６Ｂには、排出水が流出する方向に展開するような状態で、防水シート部材３Ｂが取り付けられ、海底Ｂが略扇状に覆われている。また、扇状部の外縁のうち、直線状の外縁３Ｂ１及び３Ｂ２は、海底Ｂに密着され、外部に対して閉塞されている。
【００３５】
このため、排出水は、海底Ｂと防水シート３Ｂに挟まれた部分を通り、防水シート部材３Ｂの外縁３Ｂ３へ向かって流れる。この場合、排出口６Ｂから遠ざかるにつれて、防水シート部材３Ｂの下部となる領域の容積は増大していく。したがって、排出水は、図２において、Ｖ４、Ｖ５、Ｖ６と、排出口６Ｂから離れるにつれて流速が小さくなっていく。
【００３６】
このことから、排出水が、土砂を含んだ汚濁水の場合には、防水シート部材３Ｂの外縁３Ｂ３へ向かうにつれて水流の流速が低下するため、汚濁水の中の土砂成分の沈降が促進され、土砂は海底Ｂの上に沈積する。
【００３７】
したがって、防水シート部材３Ｂの大きさ（海底Ｂを被覆する面積）が十分に大きな場合には、防水シート部材３Ｂの外縁において、外部の水Ｗ３と触れる時点では、汚濁水の中の土砂成分の大部分が沈積によって減少しており、かつ水流の流速も非常に小さくなっている。これにより、防水シート部材３Ｂの外縁３Ｂ３における汚濁水の拡散は抑制されることとなる。
【００３８】
また、汚濁水の排水方向は、図２の右手方向なので、図２の左手方向への汚濁は極めて小さいものとなる。したがって、図２の左手方向に水産施設等があり、汚濁の影響を抑えたい場合などには、有効な方法となる。
【００３９】
また、汚濁水の中の土砂の密度は、防水シート部材３Ｂの外部の水Ｗ３の密度よりも大きい。このため、防水シート部材３Ｂの外縁３Ｂ３における汚濁水は、海底Ｂに非常に静かに置かれたような状態となり、濁りが海面Ｓの方向（上方）へ拡散することが防止される。
【００４０】
また、排出水が、海面付近の溶存酸素量の多い表層水の場合には、排出口６Ｂから排出された表層水は、周囲の水よりも暖かく低密度で軽いため、海面Ｓの方向（上方）へ上昇しようとする。しかし、防水シート部材３Ｂがあるため、海底Ｂと防水シート３Ｂに挟まれた部分を通り、防水シート部材３Ｂの外縁３Ｂ３へ向かって流れる。この場合、排出口６Ｂから遠ざかるにつれて、防水シート部材３Ｂの下部となる領域の容積は増大していく。したがって、排出水は、図２において、Ｖ４、Ｖ５、Ｖ６と、排出口６Ｂから離れるにつれて流速が小さくなっていく。
【００４１】
このことから、表層水は、防水シート部材３Ｂの外縁３Ｂ３へ向かうにつれて水流の流速が低下するため、防水シート部材３Ｂの外縁３Ｂ３に到達するまでに時間がかかり、その間に周囲の水によって冷却される。
【００４２】
したがって、防水シート部材３Ｂの大きさ（海底Ｂを被覆する面積）が十分に大きな場合には、防水シート部材３Ｂの外縁３Ｂ３において、外部の水Ｗ３と触れる時点では、表層水と外部の水Ｗ３との温度差は緩和され、これに伴って密度差も減少する。さらに、防水シート部材３Ｂの外縁３Ｂ３においては、表層水の水流の流速も非常に小さくなっている。これにより、防水シート部材３Ｂの外縁３Ｂ３においては、表層水の密度は、外部の水Ｗ３の密度と差がほとんどなくなり、海底付近又は貧酸素水塊の付近に留まりやすくなる。
【００４３】
また、上記した第２実施形態の水中排水装置１０２において、防水シート部材３Ｂに、上下に貫通する小さな孔を、まばらに開けておくようにしてもよい。このようにすれば、防水シート部材３Ｂの下を流れる表層水が、防水シート部材３Ｂに開けられた小さい孔の箇所で、外部の海底付近の水（貧酸素水塊）の中に混入し、酸素を供給することができる。
【００４４】
また、上記した第２実施形態の水中排水装置１０２において、防水シート部材３Ｂの表面に、熱伝導性の高い材料により形成された薄膜状部材を接着、又は蒸着等しておいてもよい。この場合、熱伝導性の高い材料としては、アルミニウム箔、銅箔等の金属箔が使用可能である。このようにすれば、防水シート部材３Ｂは、外部の低温の水によって容易に冷却される。したがって、防水シート部材３Ｂの下を流れる表層水も容易に冷却され、外部の海底付近の水（貧酸素水塊）との温度差が緩和される。
【００４５】
上記した各実施形態において、ポンプ１Ａ、１Ｂは特許請求の範囲における排出水送出手段に相当している。また、アンカー部材４Ａ、４Ｂとワイヤー５Ａ、５Ｂは特許請求の範囲におけるシート支持手段に相当している。
【００４６】
なお、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【００４７】
例えば、上記実施形態においては、水中排水装置（例えば１０１又は１０２）の防水シート部材（例えば３Ａ又は３Ｂ）が構築される箇所が海底付近である例について説明したが、本発明はこれには限定されず、他の箇所、例えば、海底以外の他の箇所、例えば、湖、池、沼等の内水部の水底付近に構築されるようにしてもよい。
【００４８】
【発明の効果】
以上説明したように、請求項１に記載された発明によれば、土砂を含んだ汚濁水の場合には、汚濁水が水底と防水シート部材の間の水中を流動するうちにその流速を減少させて土砂を防水シート部材に被覆された領域の水底の上に沈積させ、又は防水シート部材の外部の水と汚濁水が混合することを防止することができる。また、請求項２に記載された発明によれば、熱伝導性の高い金属箔の薄膜状部材の作用により、表層水が水底と防水シート部材の間の水中を流動するうちに冷却させ、防水シート部材の端縁から排出される表層水は、防水シート部材の外部の水の付近にとどめられる、という利点を有している。また、請求項３に記載された発明によれば、防水シート部材に開けられた小さい孔の作用により、小さい孔の箇所で防水シート部材の外部の水底付近の水の中に排出水を混入させて酸素を供給させることができる、という利点を有している。また、請求項４に記載された発明によれば、請求項２及び請求項３の効果を併せ持つ、という利点を有している。
【図面の簡単な説明】
【図１】本発明の第１実施形態である水中排水装置の構成を示す図である。
【図２】本発明の第２実施形態である水中排水装置の構成を示す図である。
【符号の説明】
１Ａ、１Ｂ  ポンプ
２Ａ、２Ｂ  排出管
３Ａ、３Ｂ  防水シート部材
４Ａ、４Ｂ  アンカー部材
５Ａ、５Ｂ  ワイヤー
６Ａ、６Ｂ  排出口
１０１、１０２  水中排水装置
Ｂ  海底
Ｓ  海面
Ｖ１〜Ｖ６  排出水
Ｗ１  シート外部水
Ｗ２  表層水
Ｗ３  シート外部水
Ｗ４  表層水
【図１】
0003635330.tif 000002
【図２】
0003635330.tif 000003